(57)【要約】      （修正有）【課題】蓋体を、開放させるにあたり、開口を備えた本体の前面にできる限り干渉し難い態様で、スムースに移動させることが出来る蓋体の支持機構を提供する。【解決手段】ベース体１には、スライド体２の移動方向に沿ったガイド壁が形成されている。ガイド壁に回動体３の姿勢制御部が付勢手段の付勢により圧接されるようになっている。蓋体Ｒをスライド移動終了位置に位置づけるスライド体２の前進終了位置において、姿勢制御部３がこのガイド壁の前端より先に外れ出るようになっている。【選択図】図９
2006103709.tif 000002
【特許請求の範囲】
【請求項１】
開口を塞ぐ蓋体を、その閉塞位置から前方にスライド移動させた後、スライド移動終了位置から回動させて、この回動終了位置において前記開口を開放させるように、この蓋体を支持する支持機構であって、
前記開口を備えた本体側に固定されるベース体と、
このベース体に前後動可能に組み合わされるスライド体と、
前端部に蓋体の支持部を有すると共に、スライド体に回動可能に組み付けられ、かつ、この回動組み付け位置の後方に姿勢制御部を備えた回動体と、
この回動体を前記回動終了位置に向けて回動させる向きに常時付勢する付勢手段とを有しており、
ベース体には、スライド体の移動方向に沿ったガイド壁が形成されていると共に、
このガイド壁に回動体の姿勢制御部が前記付勢手段の付勢により圧接されるようになっており、
蓋体を前記スライド移動終了位置に位置させるスライド体の前進終了位置において、姿勢制御部がこのガイド壁の前端より先に外れ出るようになっていることを特徴とする蓋体の支持機構。
【請求項２】
スライド体に、付勢手段の付勢による回動体の回動終了位置に向けた回動によって姿勢制御部が描く移動軌跡に沿って延び、かつ、溝一端をこの姿勢制御部の突き当たり部としたこの姿勢制御部の通し溝が形成されていることを特徴とする請求項１記載の蓋体の支持機構。
【請求項３】
スライド体を前進終了位置に向けて前進させる向きに常時付勢する付勢手段が備えられていると共に、
このスライド体及びベース体のいずれか一方に設けられたラッチ本体と、
これらの他方に設けられてこのラッチ本体に対し、蓋体を閉塞位置に位置づけるこのスライド体の後退位置において前記付勢に抗して掛合されると共に、閉塞位置にある蓋体の前面を利用したスライド体の押し込み操作によってこの掛合を解き、かつ、前進終了位置にあるスライド体を再び後退位置に押し戻すことにより再び掛合される掛合体とからなる、
ラッチ装置が備えられていることを特徴とする請求項１又は請求項２記載の蓋体の支持機構。
【請求項４】
スライド体及びベース体のいずれか一方に、このスライド体の前進終了位置において、これらの他方に形成された被ロック部に弾発によって掛合すると共に、このスライド体を後退位置に向けて押し戻すことに伴ってこの掛合を解くように構成されたロック体が備えられていることを特徴とする請求項１〜請求項３のいずれか１項に記載の蓋体の支持機構。
【請求項５】
付勢手段の付勢による回動体の回動終了位置に向けた回動に制動を付与する制動手段を備えていることを特徴とする請求項１〜請求項４のいずれか１項に記載の蓋体の支持機構。
【発明の詳細な説明】
【技術分野】
【０００１】
この発明は、各種の収納体ないしは収納部の開口を塞ぐ蓋体の支持機構に関する。
【背景技術】
【０００２】
ラッチ装置によって閉成状態を維持されると共に、このラッチ装置によるロックを解除すると、バネの付勢により蓋を開成動作させるようにした蓋開閉装置がある。（特許文献１参照）
【０００３】
しかるに、かかる開閉装置にあっては、前記ロックを解除すると同時に蓋は回転運動に入り、この回転運動によって開口を開かせることから、開口を備えた本体の前面（意匠面）はこの蓋の回転軌跡を考慮してデザインせざるを得ず、一方、蓋が平板状をなしていない場合には前記回転運動にあたってこの蓋を逃すスペースを大きく設ける必要を生じさせるものであった。
【特許文献１】特開平６−７７６７１号公報
【発明の開示】
【発明が解決しようとする課題】
【０００４】
この発明が解決しようとする主たる問題点は、各種の収納体ないしは収納部（本体）の開口を塞ぐ蓋体を、開放させるにあたり、開口を備えた本体の前面にできる限り干渉し難い態様で、スムースに移動させる点にある。
【課題を解決するための手段】
【０００５】
前記問題点を解決するために、この発明にあっては、蓋体の支持機構を、以下の（１）〜（８）の構成を備えたものとした。
（１）開口を塞ぐ蓋体を、その閉塞位置から前方にスライド移動させた後、スライド移動終了位置から回動させて、この回動終了位置において前記開口を開放させるように、この蓋体を支持する支持機構であって、
（２）前記開口を備えた本体側に固定されるベース体と、
（３）このベース体に前後動可能に組み合わされるスライド体と、
（４）前端部に蓋体の支持部を有すると共に、スライド体に回動可能に組み付けられ、かつ、この回動組み付け位置の後方に姿勢制御部を備えた回動体と、
（５）この回動体を前記回動終了位置に向けて回動させる向きに常時付勢する付勢手段とを有しており、
（６）ベース体には、スライド体の移動方向に沿ったガイド壁が形成されていると共に、
（７）このガイド壁に回動体の姿勢制御部が前記付勢手段の付勢により圧接されるようになっており、
（８）蓋体を前記スライド移動終了位置に位置させるスライド体の前進終了位置において、姿勢制御部がこのガイド壁の前端より先に外れ出るようになっている。
【０００６】
かかる構成によれば、スライド体が前進終了位置に至るまでの間は、この蓋体を支持する回動体をスライド体への回動組み付け位置と姿勢制御部の二カ所において付勢手段の付勢に抗して回動終了位置に向けた回動を生じさせないように支持させることができ、先ず閉塞位置にある蓋体をスライド移動終了位置まで前方にスライド移動させることができる。この後、スライド体が前進終了位置に至ると、姿勢制御部がガイド壁の前端より先に外れ出すことから、回動体はスライド体に対し回動組み付け位置においてのみ支持されることとなり、これにより回動体は付勢手段の付勢によって回動終了位置に向けて回動される。この回動によって、スライド終了位置にある蓋体は回動終了位置まで回動される。この結果、蓋体の開放動作にあたり蓋体と開口を備えた本体の前面などとの干渉を生じさせ難くすることができ、開口を備えた本体の前面の形状や蓋体の形状の選択にあたり、こうした干渉に格別の配慮を払う必要がなくなる。
【０００７】
前記スライド体に、付勢手段の付勢による回動体の回動終了位置に向けた回動によって姿勢制御部が描く移動軌跡に沿って延び、かつ、溝一端をこの姿勢制御部の突き当たり部としたこの姿勢制御部の通し溝を形成させておくこともある。
【０００８】
このようにした場合、前記通し溝の溝一端が前記突き当たり部とされていることから、付勢手段の付勢によって姿勢制御部をこの突き当たり部に突き当てさせることにより、回動体の回動を止めて、蓋体を回動終了位置に安定的に位置づけさせることができる。
【０００９】
前記支持機構が、スライド体を前進終了位置に向けて前進させる向きに常時付勢する付勢手段を備えると共に、
このスライド体及びベース体のいずれか一方に設けられたラッチ本体と、
これらの他方に設けられてこのラッチ本体に対し、蓋体を閉塞位置に位置づけるこのスライド体の後退位置において前記付勢に抗して掛合されると共に、閉塞位置にある蓋体の前面を利用したスライド体の押し込み操作によってこの掛合を解き、かつ、前進終了位置にあるスライド体を再び後退位置に押し戻すことにより再び掛合される掛合体とからなる、ラッチ装置を備えるようにしておくこともある。
【００１０】
このようにした場合、閉塞位置にある蓋体の前面を押し込むことにより、掛合体とラッチ本体との掛合を解いて付勢手段の付勢によりスライド体を前進終了位置までいわば自動的に移動させることができ、また、前進終了位置にあるスライド体を後退位置まで押し戻すことにより、掛合体とラッチ本体とを再び掛合させ合わせて、付勢手段の付勢に抗してこのスライド体が後退位置にある状態、すなわち、蓋体が閉塞位置にある状態を、再び安定的に維持させることができる。
【００１１】
前記スライド体及びベース体のいずれか一方に、このスライド体の前進終了位置において、これらの他方に形成された被ロック部に弾発によって掛合すると共に、このスライド体を後退位置に向けて押し戻すことに伴ってこの掛合を解くように構成されたロック体を備えさせておくこともある。
【００１２】
このようにした場合、スライド体の前進終了位置において、この前進終了位置から後退位置に向けてスライド体が予期せず移動してしまわないように、この前進終了位置から後退位置に向けたスライド体の押し戻し操作を可能とした状態で、かかるスライド体を仮に保持させることができる。
【００１３】
前記支持機構が、前記付勢手段の付勢による回動体の回動終了位置に向けた回動に制動を付与する制動手段を備えるようにしておくこともある。
【００１４】
このようにした場合、前記付勢手段の付勢によって、スライド移動終了位置から回動終了位置に向けて蓋体が勢いよく回動してしまわないようにすることができ、蓋体の動作に高級感などを付与させることができる。
【発明の効果】
【００１５】
この発明によれば、蓋体の開放動作を、この蓋体を一旦前方にスライド移動させた後回動させてなすことができ、開口を備えた本体の前面に蓋体が干渉し難い態様で、蓋体をスムースに移動させてかかる開放をなすようにすることができる。
【発明を実施するための最良の形態】
【００１６】
以下、図１ないし図１１に基づいて、この発明を実施するための最良の形態について説明する。
【００１７】
なお、ここで図１および図２は、実施の形態にかかる支持機構を構成する各部品を分離させた状態として示しており、また、図３ないし図５は、蓋体Ｒが閉塞位置にあり従って支持機構を構成するスライド体２が後退位置にある状態を、図６ないし図８は、蓋体Ｒがスライド移動終了位置にあり従ってかかるスライド体２が前進終了位置にある状態を、図９ないし図１１は、蓋体Ｒが回動終了位置にある状態を、それぞれ示している。（なお、図３ないし図１１においては、ベース体１を構成する第二パーツ１０７の記載を省略しており、さらに、図４、図７および図１０においては、回動体３および制動手段７の記載を省略している。）
【００１８】
この実施の形態にかかる蓋体Ｒの支持機構は、開口Ｈａを塞ぐ蓋体Ｒを、その閉塞位置から前方にスライド移動させた後、スライド移動終了位置から回動させて、この回動終了位置において前記開口Ｈａを開放させるように、この蓋体Ｒを支持するものである。
【００１９】
典型的には、かかる支持機構は、自動車などの乗り物の室内に備えられる各種収納体ないしは収納部の開口Ｈａを塞ぐ蓋体Ｒを前記の動作を行うように支持させたり、オフィスや住宅内で利用される各種の収納体ないしは収納部の開口Ｈａを塞ぐ蓋体Ｒを前記の動作を行うように支持させたりなどするために用いられる。
【００２０】
かかる支持機構は、
（１）ベース体１と、
（２）スライド体２と、
（３）回動体３と、
（４）付勢手段４とを有している。
【００２１】
（ベース体１）
ベース体１は、前記蓋体Ｒによって塞がれる開口Ｈａを備えた本体Ｈ側、つまり、前記収納体ないしは収納部側に固定される。
【００２２】
図示の例では、かかるベース体１は、前部を開放部１００とした箱状をなすように構成されている。図示の例では、かかるベース体１は、このベース体１の一方側板１０１と上板１０２と底板１０３と背板１０４とを備えた第一パーツ１０６に対し、このベース体１の他方側板１０５を備えた第二パーツ１０７を組み合わせることにより構成されている。図示の例では、かかる上板１０２と底板１０３の外面部にはブラケット部１０８が形成されており、このブラケット部１０８を利用して前記本体Ｈにベース体１は固定されるようになっている。
【００２３】
（スライド体２）
スライド体２は、前記ベース体１に前後動可能に組み合わされている。
【００２４】
図示の例では、かかるスライド体２は、ベース体１の一方側板１０１及び他方側板１０５に略平行をなす基板２００を主体として構成されている。
【００２５】
この基板２００におけるベース体１の一方側板１０１に向き合う第一面２０１側には、このベース板の一方側板１０１に形成された前後方向に延びるガイド溝１０９に入り込み案内される一対の突部２０２、２０２が前後に間隔を開けて形成されており、スライド体２はこのガイド溝１０９の案内によって、前記前後動をなすようになっている。このガイド溝１０９は、後述する姿勢制御部３０３の案内溝１１３を挟んだ前後にそれぞれ設けられており、一対の突部２０２、２０２の一方が前側のガイド溝１０９に入り、一対の突部２０２、２０２の他方が後側のガイド溝１０９に入る。そして、図示の例では、かかる突部２０２がガイド溝１０９の前端に位置される位置まで、スライド体２が前進され、この位置がスライド体２の前進終了位置とされる。（図７）
【００２６】
また、この基板２００の上縁部には、この上縁部に沿って形成されると共に、ベース体１の他方側板１０５に向き合う第二面２０３側からこの第二面２０３に略直交する向きに突き出す上板部２０４が形成されている。
【００２７】
また、この実施の形態にあっては、かかるスライド体２を前進終了位置に向けて前進させる向きに常時付勢する付勢手段５が備えられていると共に、
前記ベース体１に設けられたラッチ本体６０１と、
スライド体２に設けられてこのラッチ本体６０１に対し、蓋体Ｒを閉塞位置に位置づけるこのスライド体２の後退位置（図３の位置）において前記付勢に抗して掛合されると共に、閉塞位置にある蓋体Ｒの前面を利用したスライド体２の押し込み操作によってこの掛合を解き、（すなわち、解除プッシュ）かつ、前進終了位置（図６の位置）にあるスライド体２を再び後退位置に押し戻すことにより再び掛合される（すなわち、掛合プッシュ）掛合体６０２とからなる、
ラッチ装置６が備えられている。
【００２８】
図示の例にあっては、ベース体１の一方側板１０１の内面であって、開放部１００の近傍に、引っ張りコイルバネ５００のバネ前端の止め付け部１１０が形成されていると共に、スライド体２の基板２００の第一面２０１側であって、この基板２００の後端側に、この引っ張りコイルバネ５００のバネ後端の止め付け部２０５が形成されており、両止め付け部１１０、２０５を利用してベース体１とスライド体２との間に介在された引っ張りコイルバネ５００によって、スライド体２は前進終了位置に向けて常時付勢されるようになっている。すなわち、図示の例にあっては、かかる引っ張りコイルバネ５００が前記付勢手段５として機能するようになっている。
【００２９】
また、図示の例にあっては、ラッチ本体６０１はベース体１の背板１０４の内面に取り付けられており、また、掛合体６０２はスライド体２の後端に形成されている。
【００３０】
図示の例では、かかる掛合体６０２は、スライド体２の後端から後方に突き出されるように形成されている。この掛合体６０２は頭部６０２ａと頸部６０２ｂと掛合箇所となる顎部６０２ｃとを有している。一方、ラッチ本体６０１は、スライド体２の後退位置において、このラッチ本体６０１を筒前端開口Ｈａから内部に受け入れる角筒状をなすように構成されており、その内部には、前記掛合プッシュ時に受け入れられた掛合体６０２の頭部６０２ａをくわえ込むようにしてこの掛合体６０２に掛合されると共に、前記解除プッシュ時にこの掛合を解くように構成された図示しないラッチ機構が組み込まれている。
【００３１】
これにより、この実施の形態にあっては、閉塞位置にある蓋体Ｒの前面を押し込むことにより、掛合体６０２とラッチ本体６０１との掛合を解いて付勢手段５の付勢によりスライド体２を前進終了位置までいわば自動的に移動させることができ、また、前進終了位置にあるスライド体２を後退位置まで押し戻すことにより、掛合体６０２とラッチ本体６０１とを再び掛合させ合わせて、付勢手段５の付勢に抗してこのスライド体２が後退位置にある状態、すなわち、蓋体Ｒが閉塞位置にある状態を、再び安定的に維持させることができる。
【００３２】
また、この実施の形態にあっては、前記ベース体１に、前記スライド体２の前進終了位置において、スライド体２に形成された被ロック部２０６に弾発によって掛合すると共に、このスライド体２を後退位置に向けて押し戻すことに伴ってこの掛合を解くように構成されたロック体１１１が備えられている。
【００３３】
図示の例にあっては、ロック体１１１は、ベース体１の開放部１００側の上部に設けられている。具体的には、図示の例にあっては、ロック体１１１は、後端に回動軸１１１ｃを有し、この回動軸１１１ｃを中心に前端１１１ｂを上下動させるようにこの回動軸１１１ｃをもってベース体１に回動可能に組み付けられた主体部１１１ａと、
この主体部１１１ａの回動軸１１１ｃに巻装されると共に、バネ一端をベース体１に止め付け、かつ、バネ他端をこの主体部１１１ａに止め付けて、主体部１１１ａの前端を常時下方に押し下げる向きに付勢するねじりコイルバネ１１１ｄとから構成されている。
【００３４】
また、図示の例にあっては、被ロック部２０６は、スライド体２の上板部２０４の前端側に形成されたロック体１１１の主体部１１１ａの前端が入り込み可能な大きさの貫通穴２０６ａとして構成されている。
【００３５】
そして、図示の例にあっては、スライド体２の後退位置から前進終了位置に至るまでの間においては、このスライド体２の上板部２０４の外面にロック体１１１の主体部１１１ａの前端１１１ｂが前記ねじりコイルバネ１１１ｄの作用によって常時圧接され、スライド体２はこの主体部１１１ａの前端１１１ｂに上板部２０４の外面を摺接させながらスライド移動されるようになっていると共に、スライド体２が前進終了位置まで移動されると前記ねじりコイルバネ１１１ｄの作用によってロック体１１１の主体部１１１ａの前端１１１ｂが前記貫通穴２０６ａに入り込むようになっている。この前進終了位置からスライド体２を後退位置に向けて押し戻すと、貫通穴２０６ａの穴前縁２０６ｂによってロック体１１１の主体部１１１ａの前端１１１ｂが前記ねじりコイルバネ１１１ｄの付勢に抗して持ち上げられ、ロック体１１１と被ロック部２０６との掛合は解かれる。
【００３６】
これにより、この実施の形態にあっては、スライド体２の前進終了位置において、この前進終了位置から後退位置に向けてスライド体２が予期せず移動してしまわないように、この前進終了位置から後退位置に向けたスライド体２の押し戻し操作を可能とした状態で、かかるスライド体２を仮に保持させることができる。
【００３７】
（回動体３）
回動体３は、前端部に蓋体Ｒの裏面に取り付けられてこの蓋体Ｒを支持する支持部３００を有すると共に、スライド体２に回動可能に組み付けられており、かつ、この回動組み付け位置３０１の後方に姿勢制御部３０３を備えている。
【００３８】
図示の例では、かかる回動体３は、スライド体２の基板２００における第二面２０３に一面を向き合わせるようにして、このスライド体２に回動可能に組み付けられている。
【００３９】
具体的には、回動体３は、その一面側に、かかるスライド体２の基板２００における前端側の上隅部に形成された軸穴２０７に入れ込まれる軸部３０２を有している。
【００４０】
かかる回動体３は、回動前位置（図６の位置）において、前記軸部３０２よりも前であって、かつ、その下方に、前記支持部３００を有している。また、この回動前位置において、かかる軸部３０２と略同じレベルに位置されると共に、この軸部３０２の後方となる位置に、前記姿勢制御部３０３を有している。図示の例では、かかる姿勢制御部３０３は、回動体３の一面側から突き出される軸状をなすように構成されている。軸部３０２を中心とした回動体３の回動によって姿勢制御部３０３はこの軸部３０２と姿勢制御部３０３との間のピッチを半径とした仮想の円の円弧上を移動されることとなるが、図示の例では、スライド体２にこの円弧に沿った割溝状をなす通し溝２０８が形成されており、姿勢制御部３０３はこの通し溝２０８を通じて後述するベース体１のガイド壁１１２ａにその先端側を圧接させるようになっている。また、かかる回動体３における回動前位置において後方に向けられる縁部は、前記軸部３０２を中心とした仮想の円の円弧に沿うように形成されていると共に、この縁部にはラック３０４が形成されている。
【００４１】
そして、図示の例では、かかる回動体３は、回動前位置（図６の位置）から回動終了位置（図９の位置）に向けて、支持部３００を下方から上方に持ち上げるように回動されるようになっている。
【００４２】
（付勢手段４）
付勢手段４は、前記回動体３を前記回動終了位置に向けて回動させる向きに常時付勢するように構成されている。
【００４３】
図示の例では、かかる付勢手段４は、回動体３の軸部３０２に巻装されると共に、バネ一端をスライド体２に止め付け、かつ、バネ他端をこの回動体３に止め付けて、この回動体３の支持部３００を常時上方に持ち上げる向きに付勢するねじりコイルバネ４００によって構成されている。
【００４４】
（機能）
また、前記ベース体１には、スライド体２の移動方向に沿ったガイド壁１１２ａが形成されていると共に、
このガイド壁１１２ａに回動体３の姿勢制御部３０３が前記付勢手段４の付勢により圧接されるようになっている。
【００４５】
図示の例では、ベース体１の一方側板１０１の内面に、このベース体１の前後方向に沿って延びる直線状案内溝１１２が形成されている。そして、この直線状案内溝１１２の下側の溝壁が、前記ガイド壁１１２ａとして機能するようになっている。
【００４６】
そして、この実施の形態にあっては、前記蓋体Ｒを前記スライド移動終了位置に位置づけるスライド体２の前進終了位置において、姿勢制御部３０３がこのガイド壁１１２ａの前端１１２ｂより先に外れ出るようになっている。図示の例では、この直線状案内溝１１２の溝前端に溝上端を連通させて下方に延びる案内溝１１３がさらにベース体１の一方側板１０１に形成されており、ガイド壁１１２ａの前端１１２ｂより先に外れ出した姿勢制御部３０３はそれから先はこの案内溝１１３に入り込み回動体３の回動によりこの案内溝１１３に沿って移動される。
【００４７】
また、この実施の形態にあっては、スライド体２に、付勢手段４の付勢による回動体３の回動終了位置に向けた回動によって姿勢制御部３０３が描く移動軌跡に沿って延び、かつ、溝一端（図示の例では溝下端）をこの姿勢制御部３０３の突き当たり部２０８ａとしたこの姿勢制御部３０３の通し溝２０８が形成されている。スライド体２の前進終了位置においては、この通し溝２０８の溝上端がガイド壁１１２ａの前端１１２ｂの前方に位置され、かつ、この通し溝２０８と前記案内溝１１３とがこれらの上下方向に亘って略連通し合うように整合されるようになっている。（図１０）
【００４８】
これにより、この実施の形態にかかる蓋体Ｒの支持機構によれば、スライド体２が前進終了位置に至るまでの間は、この蓋体Ｒを支持する回動体３をスライド体２への回動組み付け位置３０１と姿勢制御部３０３の二カ所において付勢手段４の付勢に抗して回動終了位置に向けた回動を生じさせないように支持させることができ、先ず閉塞位置にある蓋体Ｒをスライド移動終了位置まで前方にスライド移動させることができる。この後、スライド体２が前進終了位置に至ると、姿勢制御部３０３がガイド壁１１２ａの前端１１２ｂより先に外れ出すことから、回動体３はスライド体２に対し回動組み付け位置３０１においてのみ支持されることとなり、これにより回動体３は付勢手段４の付勢によって回動終了位置に向けて回動される。この回動によって、スライド終了位置にある蓋体Ｒは回動終了位置まで回動される。蓋体Ｒを、閉塞位置から前方にスライド移動させた後回動させてこの蓋体Ｒによって閉塞されていた開口Ｈａを開放させるようにできることから、蓋体Ｒの開放動作にあたり蓋体Ｒと開口Ｈａを備えた本体Ｈの前面Ｈｂなどとの干渉を生じさせ難くすることができ、開口Ｈａを備えた本体Ｈの前面Ｈｂの形状や蓋体Ｒの形状の選択にあたり、こうした干渉に格別の配慮を払う必要がなくなる。
【００４９】
また、この実施の形態にあっては、前記通し溝２０８の溝一端が前記突き当たり部２０８ａとされていることから、付勢手段４の付勢によって姿勢制御部３０３をこの突き当たり部２０８ａに突き当てさせることにより、回動体３の回動を止めて、蓋体Ｒを回動終了位置に安定的に位置づけさせることができる。
【００５０】
回動終了位置（図９の位置）に位置づけられた蓋体Ｒを回動前位置に押し戻すように操作すると回動体３は回動前位置（図６の位置）に押し戻され、この状態からさらに蓋体Ｒを後方に押し込むように操作すると姿勢制御部３０３は直線状案内溝１１２に再び入り込み、スライド体２は後退位置（図３の位置）まで押し戻される。後退位置までスライド体２が押し戻されると前記ラッチ装置６によってこのスライド体２の押し戻し状態が維持され、蓋体Ｒは開口Ｈａを塞いだ閉塞位置に位置づけられる。
【００５１】
蓋体Ｒが左右方向に相応の巾を有する場合には、以上に説明した支持機構を、この蓋体Ｒの左右方向において間隔を開けて二つ以上備えさせて、かかる蓋体Ｒを支持するようにすることが好ましい。
【００５２】
また、この実施の形態にあっては、かかる支持機構が、前記付勢手段４の付勢による回動体３の回動終了位置に向けた回動に制動を付与する制動手段７を備えている。
【００５３】
図示の例にあっては、スライド体２の基板２００の下部に、シリコンオイルやグリスなどの粘性流体の封入された本体ケース７０１と、この本体ケース７０１内において前記粘性流体の抵抗を受けながら回転される図示しないロータ部とこの本体ケース７０１外にあって前記回動体３のラック３０４に噛み合うギア部７０２ａとを備えた回転体７０２とからなるダンパ具７００が取り付けられており、このダンパ具７００が前記制動手段７として機能するようになっている。
【００５４】
これにより、この実施の形態にあっては、前記付勢手段４の付勢によって、スライド移動終了位置から回動終了位置に向けて蓋体Ｒが勢いよく回動してしまわないようにすることができ、蓋体Ｒの動作に高級感などを付与させることができる。
【図面の簡単な説明】
【００５５】
【図１】支持機構の分解斜視図
【図２】支持機構の分解斜視図
【図３】支持機構の使用状態を示した側面構成図
【図４】図３の状態における支持機構の要部側面構成図
【図５】図３の状態における支持機構の斜視構成図
【図６】支持機構の使用状態を示した側面構成図
【図７】図６の状態における支持機構の要部側面構成図
【図８】図６の状態における支持機構の斜視構成図
【図９】支持機構の使用状態を示した側面構成図
【図１０】図９の状態における支持機構の要部側面構成図
【図１１】図９の状態における支持機構の斜視構成図
【符号の説明】
【００５６】
Ｒ  蓋体
Ｈ  本体
Ｈａ  開口
１  ベース体
１１２ａ  ガイド壁
１１２ｂ  前端
２  スライド体
３  回動体
３００  支持部
３０１  回動組み付け位置
３０３  姿勢制御部
４  付勢手段
【図１】
2006103709.tif 000003
【図２】
2006103709.tif 000004
【図３】
2006103709.tif 000005
【図４】
2006103709.tif 000006
【図５】
2006103709.tif 000007
【図６】
2006103709.tif 000008
【図７】
2006103709.tif 000009
【図８】
2006103709.tif 000010
【図９】
2006103709.tif 000011
【図１０】
2006103709.tif 000012
【図１１】
2006103709.tif 000013